(57)【要約】【課題】  直接鳴音製品の外部パッケージを制御し、予め音を知ることができる装置を提供する。【解決手段】  制御スイッチ１及び隔離端子１０を備え、両接続側から連結電導線と隔離端子１０に接続され、隔離端子１０の中央層は絶縁層１０５で、両側が導電層１０３、１０４であり、その導電層１０３、１０４は制御スイッチ１と接続され、それぞれに両電導線１１、１２に接続され、試聴装置を構成し、制御スイッチ１は外部パッケージに結合され、隔離端子１０は、その鳴音製品３に搭載するバッテリーとバッテリーホルダーの電極側３１との間にある直接の電流通路を仕切り、その電流通路を移転し、パッケージに結合されている制御スイッチ１で制御し、電流を更に導電層を通じて鳴音製品の機芯へ伝導させて、直接作動及び鳴音を発生させ、素早く鳴音の試聴及び製品の検測をする目的を達成する【選択図】    図２
0003112007.tif 000002
【実用新案登録請求の範囲】
【請求項１】
制御スイッチ及び隔離端子を備え、
両接続側から連結電導線と隔離端子に接続され、
隔離端子の中央層は絶縁層で、両側が導電層であり、その導電層は制御スイッチと接続され、それぞれに両電導線に接続され、
制御スイッチは外部パッケージに結合され、
隔離端子は、鳴音製品に搭載されているバッテリーとバッテリーホルダーの電極側との間にある直接の電流通路を仕切り、その電流通路を移転し、パッケージに結合されている制御スイッチで制御し、電流を更に導電層を通じて鳴音製品の機芯へ供給し、直接作動及び鳴音を発生させ、素早く鳴音の試聴及び製品の検測が可能であることを特徴とする鳴音製品の試聴装置。
【請求項２】
前記電導線は印刷方式の平たい形状の金属の電導線であることを特徴とする請求項１に記載の鳴音製品の試聴装置。
【請求項３】
前記制御スイッチは両電導線に接続され、それぞれが両隔離端子に接続可能であることを特徴とする請求項１に記載の鳴音製品の試聴装置。
【請求項４】
ボタンスイッチ及び隔離端子を備え、
隔離端子は、通電体及び接続体を有し、
前記通電体は鳴音製品のバッテリーホルダー電極側に接続され、鳴音製品のカバーから突き出して配置され、ボタンスイッチに電導線で接続される接続体を挿入して連通し、
ボタンスイッチ両側の後は、電導線で接続体に接続され、
接続体をカバーにある通電体に挿入すると、通電体を電流が通過可能となり、ボタンスイッチのプッシュ方式により、電気通路の開閉を制御するように移転し、鳴音製品の機芯へ直接に電流が供給され、作動及び鳴音が発生し、素早く鳴音を試聴し、製品を検測可能であることを特徴とする鳴音製品の試聴装置。
【請求項５】
前記隔離端子はノーブスイッチになり、直接目覚まし時計のカバーに設置され、制御を切り替え可能になることを特徴とする請求項４に記載の鳴音製品の試聴装置。
【請求項６】
隔離端子及び制御スイッチを備え、
前記隔離端子は、隔離側及び接続側に分けられ、前記隔離側がそのバッテリーホルダーの電極側を仕切り、接続側は外部パッケージベースの置き槽ベース部に設置され、電導線を制御スイッチに接続することを特徴とする鳴音製品の試聴装置。
【考案の詳細な説明】
【技術分野】
【０００１】
本考案は直接鳴音製品のパッケージから、予め音を鑑賞することができる試聴装置である。
【背景技術】
【０００２】
通常、一般的な鳴音製品の鳴音は、隠し設計で、特定なスイッチで鳴音をオンしたときのみ、当該鳴音製品の音質や隠された音楽が分かる。例えば、通常、市販の目覚まし時計は異なるベルを持つが、消費者は目覚まし時計の外観しか見られず、目覚まし時計製品が良いか悪いか、そしてベルの鳴音は何か、全然分からない。目覚まし時計のベル鳴音を聞きたいときは、わざわざ営業員にバッテリーや調整してもらってはじめて目覚まし時計のベル鳴音と品質が把握できる。このような試聴効果は、時間の無駄という短所が存在し、かなり不便で面倒である。また、外観からでは良質品か瑕疵品かを知ることができないため、依然として営業員に検定させ、製品の品質を確定する必要があるから、販売過程に不便な所が存在している。考案者が発見した様々な問題に対して、ある試聴装置を特別に研究開発し、予め鳴音を知る目的を達成できると同時に、製品の品質状態を検証でき、販売ルートがより素早く、簡単で便利になる。
【考案の開示】
【考案が解決しようとする課題】
【０００３】
本考案の目的は、直接鳴音製品の外部パッケージを制御し、予め音を知ることができる装置を提供する。
【課題を解決するための手段】
【０００４】
本考案は試聴装置や外部パッケージやパッケージベースの結合と制御で、使消費者が外部パッケージから直接試聴装置を押すと、素早くパッケージにある内容物の鳴音を得られる鳴音製品の試聴装置を提供する。当該改良された特徴は、電導線で制御スイッチと隔離端子を接続し、試聴装置の主な構造を構成し、当該試聴装置の制御スイッチは、外部パッケージ本体に結合されて鳴音製品に設置され、隔離端子をバッテリーとバッテリーホルダーの電極側の間に挿入し、バッテリーとバッテリーホルダーの電極側を隔離し、制御スイッチが電通路を仕切ると、鳴音製品の機芯に電能入力がなく動作できず、鳴音製品の鳴音にも作用できない。制御スイッチを押してオンにすると、仕切られたバッテリーの電流は、電導線に伴って再び制御スイッチでバッテリーホルダーの電極側へ流通し、鳴音製品の機芯に輸送され、鳴音製品の機芯が電流を得られ、作動や直接鳴音の発生が可能となる。ユーザーは外部パッケージにある制御スイッチを押すだけで、製品の鳴音及びメョ容物の状態が分かり、セールスコストを削減し、販売効率を向上できる。
【考案を実施するための最良の形態】
【０００５】
図１に示すように、本考案の一実施例による試聴装置は制御スイッチ１及び隔離端子１０があり、その間は両電導線１１、１２で接続され、制御スイッチ１の前にシャープ１００があり、両側には結線側１０１、１０２があり、電導線１１、１２を隔離端子１０の両側にある導電層１０３、１０４に接続し、両導電層１０３、１０４はその間の絶縁層１０５で両側に分けられる。上記の構造により試聴装置の主要な構造体を形成する。
【０００６】
図２及び図３に示すように、本考案の実施例の試聴装置の装着立体図は、主として試聴装置とパッケージベース２とが結合され、パッケージベース２の中央には収納槽２０を備え、鳴音製品（図面為目覚まし時計）３が収納あるいは固定され、一側にある最適な位置に、凸体が位置決めホルダー２１として成型され、位置決めホルダー２１上に位置決めホール２２を備え、制御スイッチ１を上に配置し位置決めができ、制御スイッチ１の後に接続された両電導線１１、１２は、開口に伴ってベース２上ある線槽２３に固定され、その端末に接続された隔離端子１０は、直接、鳴音製品（目覚まし時計）３のバッテリーホルダー３０の電極側３１とバッテリー３２との間に挿入され（図４参照）、制御スイッチの開閉状態に伴いバッテリー電流を隔離端子１０により仕切り、鳴音製品の作動を完全に停止させ、最後に透明蓋４で被うと、製品販売のパッケージ状態が完成され、直接ディスプレイ什器へ置くと、直接消費者へ試聴鳴音の製品型態（図５参照）を提供できる。
【０００７】
図６のように、消費者は鳴音製品（図面は目覚まし時計である）の音楽及び使用状態を知りたい場合は、外部パッケージにある制御スイッチ１（図５参照）を押すだけで、制御スイッチ１は電通路となって、仕切られていたバッテリー電流は、導電層１０４から電導線１１を経て電通路の制御スイッチ１を通過し、再びに他側にある電導線１２から他側の導電層１０３に達し、最後には電極側３１から鳴音製品機芯５に転送され、機芯５はバッテリー電流を得て、作動及び鳴音を発生し、消費者は直接製品のパッケージからメョ容物の鳴音及び品質程度を知り、速やかに且便利に販売目的を達成する。
【０００８】
図７及び図８は、本考案に関する試聴装置の望ましい実施例で、当該試聴装置は同様にボタンスイッチ７及び隔離端子７０があり、隔離端子は接続体６１及び通電体６からなる。当該通電体６は鳴音製品（目覚まし時計）のバッテリーホルダー６２の電極側６３に接続され、通電体６本体にＡ接点６４、Ｂ接点６５、及びＣ接点６６が設置され、Ａ接点６４の後に、延べる導電レバー６４０が接続され、Ａ、Ｂ両接点は接続線６７で通路状態となる。また、Ｃ接点は鳴音製品（目覚まし時計）機芯６８に接続され、かつＢ接点６５とＣ接点６６とは、曲り導電プレート６９で接続され、Ａ接点６４、Ｂ接点６５、及びＣ接点６６の三接点を電通路に構成可能で、バッテリー電流を鳴音製品（目覚まし時計）機芯６８へ伝導でき、この構造により通電体６を完成し、また鳴音製品（目覚まし時計）６２のカバーに配置される導電レバー６４０は鳴音製品（目覚まし時計）６２のカバー（図７参照）から突き出して位置決めされ、接続体６１の接続を仕切ることにより、隔離電通体６の通電が制御可能となり、ボタンスイッチ７が電流通過（図９参照）の制御に代わって、透明カバー８を取り付け配置し、販売とするパッケージ形態の試聴装置を完成する（図１０参照）。
【０００９】
図１１は、本考案に関する試聴装置の望ましい実施例で、ノーブスイッチを隔離端子として、それぞれにバッテリーホルダー６２と鳴音製品（目覚まし時計）機芯６８の間にある電導線を仕切ったり、接続したり制御する。当該ノーブスイッチは、カバー体９０１及びノーブレバー９３があり、カバー体９０１内部の中央に位置決めレバー９０２が設置され、羽根９０３を位置決めすることができ、しかもノーブレバー９３を固定でき、カバー体９０１に３つ端点９０、９１、９２が設置され、端点には導線９００、９１０、９２０がそれぞれ鳴音製品（目覚まし時計）の機芯６８及びバッテリーホルダー６２に接続し、ノーブレバー９３の前には導電プレート９３０が設置され、当該導電プレート９３０に両接触点９３１、９３２があり、その接触点９３１の他側にあるノーブレバー９３に、同じ接触点９３３が設置され（図１２参照）、ノーブスイッチの構造配置を構成する。
【００１０】
ノーブスイッチを鳴音製品（図例は目覚まし時計である）カバーに設置し、当該ノーブレバー９３を鳴音製品（目覚まし時計）カバー（図１３と図１４参照）から突き出し、ノーブレバー９３の前端の導電プレート９３０の接触点９３１と他側接触点９３３の觸とが端点９０、９１に位置する場合、鳴音製品（目覚まし時計）は一般的な使用状態に維持され、ノーブレバーを９０度の他側に廻したら、当該接触点９３１が端点９０に接触し、当該端点９１は無接通（図１５参照）状態となり、鳴音製品（目覚まし時計）は試聴゜メ態になり、ノーブレバー９３を下に押すと、同様に導電プレート９３０に設置された接触点９３２が端点９２（図１６）に接触し、電流が鳴音製品（目覚まし時計）の機芯まで導通可能となり、直接に鳴音の作動を発生させ試聴の目的を達成する。
【００１１】
図１７は、本考案に関する試聴装置電導線の望ましい実施例で、電導線９３４は、ステッカーの形態で、直接に外部パッケージベースに粘着され、隔離端子を仕切り側９３５及び接続側９３６の両段階の接続型態を形成し、当該仕切り側９３５はバッテリーホルダーに設置されたバッテリー電流を仕切り、接続側９３６はベース収納槽２０の平面に粘着され、鳴音製品（目覚まし時計）３を直接収納槽２０に置く場合、仕切り側９３５がちょうど接続側９３６に接触し電通路になって、同様に外部パッケージから直接に試聴できる。
図１８は本考案の実施例の制御スイッチ１であり、後に２セットの電導線１１、１２及び隔離端子１０を接続し、３セットのバッテリーホルダーを取り組んで仕切りとして使用できる。
【図面の簡単な説明】
【００１２】
【図１】本考案の一実施例による試聴装置の立体構造図。
【図２】本考案の一実施例による試聴装置の組配分解図。
【図３】本考案の一実施例による試聴装置の組配図。
【図４】本考案の一実施例による試聴装置の組合断面図。
【図５】本考案の一実施例による試聴装置の組合完成図。
【図６】本考案の一実施例による試聴装置の電流流通イメージ図。
【図７】本考案の一実施例による試聴装置の斜視図。
【図８】本考案の一実施例による試聴装置の組配イメージ図。
【図９】本考案の一実施例による試聴装置の電流流動イメージ図。
【図１０】本考案の一実施例による試聴装置の組配完成図。
【図１１】本考案の一実施例による試聴装置の配置図。
【図１２】本考案の一実施例による試聴装置のスイッチ断面図。
【図１３】本考案の一実施例による試聴装置の配置イメージ図。
【図１４】本考案の一実施例による試聴装置の外観配置図。
【図１５】本考案の一実施例による試聴装置のスイッチ動作イメージ図。
【図１６】本考案の一実施例による試聴装置の電流動作イメージ図。
【図１７】本考案の一実施例による試聴装置の配置図。
【図１８】本考案の一実施例による試聴装置の構造図。
【符号の説明】
【００１３】
１  制御スイッチ、１０  隔離端子、１００  シャープ、１０１  結線側、１０２  結線側、１０３  導電層、１０４  導電層、１０５  絶縁層、１１  電導線、１２  電導線、２  ベース、２０  収納槽、２１  位置決めホルダー、２２  位置決めホール、２３  線槽、３  目覚まし時計、３１  電極側、３２  バッテリー、４  透明蓋、４０  導電レバー、５  目覚まし時計機芯、６  通電体、６１  接続体、６２  バッテリーホルダー、６３  電極側、６４  接点、６５  接点、６６  接点、６７  接続線、６８  目覚まし時計機芯、６９  曲り導電プレート、７  ボタンスイッチ、８  透明カバー、９  電導線、９０  端点、９００  導線、９１  端点、９１０  導線、９２  端点、９２０  導線、９３  ノーブレバー、９３０  導電プレート、９３１  接触点、９３２  接触点、９３３  接触点、９３４  電導線、９３５  仕切り側、９３６  接続側
【図１】
0003112007.tif 000003
【図２】
0003112007.tif 000004
【図３】
0003112007.tif 000005
【図４】
0003112007.tif 000006
【図５】
0003112007.tif 000007
【図６】
0003112007.tif 000008
【図７】
0003112007.tif 000009
【図８】
0003112007.tif 000010
【図９】
0003112007.tif 000011
【図１０】
0003112007.tif 000012
【図１１】
0003112007.tif 000013
【図１２】
0003112007.tif 000014
【図１３】
0003112007.tif 000015
【図１４】
0003112007.tif 000016
【図１５】
0003112007.tif 000017
【図１６】
0003112007.tif 000018
【図１７】
0003112007.tif 000019
【図１８】
0003112007.tif 000020